(57)【要約】      （修正有）【課題】従来のウエットティッシュ包材のシール蓋部に僅かな加工を施すだけで、毎回のシールの開け閉めの面倒がなくなり、包材内部のウエットティッシュの乾燥を抑制することができる手段の提供。【解決手段】開口部形状の破断線からなる開口形成予定部が形成されている気密性の軟質包装材料用の包装袋中に積層した又は捲回したウエットティッシュペーパーを収納した包装袋と、該破断線を覆って接着された再貼着可能なシール部材300とからなる包装ウエットティッシュであって、該シール部材300を剥離することにより、該包装袋の該開口形成予定部に対応する部分の包装袋部分がシール部材側に貼着することで該包装袋に第一の開口部100cが形成され、また、シール部材300に貼着した該包装袋部分を該シール部材300から剥離除去することにより、該シール部材にも、第一の開口部100cよりも小さい第二の開口部300aが形成されるように構成された包装ウエットティッシュ。【選択図】図４
2005112443.tif 000002
【特許請求の範囲】
【請求項１】
開口部形状の破断線からなる開口形成予定部が形成されている気密性の軟質包装材料用の包装袋中に積層した又は捲回したウエットティッシュペーパーを収納した包装袋と、該破断線を覆うように接着された再貼着可能なシール部材とからなる包装ウエットティッシュであって、該シール部材を剥離することにより、該包装袋の該開口形成予定部に対応する部分の包装袋部分がシール部材側に貼着することで、該包装袋に第一の開口部が形成され、また、シール部材に貼着した該包装袋部分を該シール部材から剥離除去することにより、該シール部材にも、第一の開口部よりも小さい第二の開口部が形成されるように構成された包装ウエットティッシュ。
【請求項２】
該第二の開口部は、そこを介して取り出し口部材が該シール部材に装着可能なように構成されており、ここで、該取り出し口部材は、ウエットティッシュの先頭部を保持すると共に、引き出されたウエットティッシュを使用単位長さにカットするか又は使用単位分だけ取り出す際の押さえの機能を有する取り出し口を有している、請求項１記載の包装ウエットティッシュ。
【請求項３】
該包装ウエットティッシュは、自己の形状を保持することのできる収納容器に収納可能であり、ここで、該収納容器は、第三の開口部とそれを覆う開閉蓋とを有しており、かつ、該第三の開口部は、そこを介して該取り出し口部材が該収納容器に装着可能なように構成されている、請求項２記載の包装ウエットティッシュ。
【請求項４】
該取り出し口部材が、該取り出し口部材と一体化した、該取り出し口を覆って密閉することができる蓋部材、又は、該取り出し口部材に着脱可能な、該取り出し口を覆って密閉することができる蓋部材を更に有する、請求項２記載の包装ウエットティッシュ。
【請求項５】
該第二の開口部は、当初から該シール部材に形成されているか、又は、開口部形状の破断線からなる開口形成予定部が該シール部材に形成されており、使用の際に該シール部材に貼着した該包装袋部分を剥離除去することにより、該シール部材に該第二の開口部が形成されるように構成されている、請求項１〜４のいずれか一項記載の包装ウエットティッシュ。
【請求項６】
開口部形状の破断線からなる開口形成予定部が形成されている気密性の軟質包装材料用の包装体中に積層した又は捲回したウエットティッシュペーパーを収納した包装袋と、該破断線を覆うように接着された再貼着可能なシール部材とからなる包装ウエットティッシュであって、該シール部材を剥離することにより、該包装袋の該開口形成予定部に対応する部分の包装袋部分がシール部材側に貼着することで、該包装袋に第一の開口部が形成され、また、シール部材に貼着した該包装袋部分を該シール部材から剥離除去することにより、該シール部材にも、第一の開口部よりも小さい第二の開口部が形成されるように構成された包装ウエットティッシュと、
ウエットティッシュの先頭部を保持すると共に、引き出されたウエットティッシュを使用単位長さにカットするか又は使用単位分だけ取り出す際の押さえの機能を有している取り出し口を有する、該第二の開口部を介して該シール部材に装着可能なように構成されている該取り出し口部材と、
から構成されているウエットティッシュ供給キット。
【請求項７】
該取り出し口部材が、該取り出し口部材と一体化した、該取り出し口を覆って密閉することができる蓋部材、又は、該取り出し口部材に着脱可能な、該取り出し口を覆って密閉することができる蓋部材を更に有する、請求項６記載のウエットティッシュ供給キット。
【請求項８】
該取り出し口部材の外周面には、該第二の開口部の周縁部と嵌合可能な嵌合受部が形成されている、請求項６〜７のいずれか一項記載のウエットティッシュ供給キット。
【請求項９】
該取り出し口部材はネジ部を有しており、該シール部材に該取り出し口部材を取り付ける際には、該ネジ部を該第二の開口部に挿入し締付方向に回転させることにより、該第二の開口部の周縁部に該嵌合受け部が装着するよう構成されている、請求項６〜８のいずれか一項記載のウエットティッシュ供給キット。
【請求項１０】
該取り出し口部材は、切り込みを有しているか又は分割し得る構造を採っている、請求項６〜９のいずれか一項記載のウエットティッシュ供給キット。
【請求項１１】
開口部形状の破断線からなる開口形成予定部が形成されている気密性の軟質包装材料用の包装体中に積層した又は捲回したウエットティッシュペーパーを収納した包装袋と、該破断線を覆うように接着された再貼着可能なシール部材とからなる包装ウエットティッシュであって、該シール部材を剥離することにより、該包装袋の該開口形成予定部に対応する部分の包装袋部分がシール部材側に貼着することで、該包装袋に第一の開口部が形成され、また、シール部材に貼着した該包装袋部分を該シール部材から剥離除去することにより、該シール部材にも、第一の開口部よりも小さい第二の開口部が形成されるように構成された包装ウエットティッシュと、
場合により、ウエットティッシュの先頭部を保持すると共に、引き出されたウエットティッシュを使用単位長さにカットするか又は使用単位分だけ取り出す際の押さえの機能を有している取り出し口を有する、該第二の開口部を介して該シール部材に装着可能なように構成されている該取り出し口部材と、
第三の開口部とそれを覆う開閉蓋とを有している収納容器であって、該第三の開口部が、そこを介して、該第二の開口部より又は該取り出し口部材の該取り出し口より突出したウエットティッシュの該先頭部を引出し可能に構成されている、自己の形状を保持することのできる収納容器と、
から構成されているウエットティッシュ供給キット。
【請求項１２】
該取り出し口部材の外周面には、該第二の開口部の周縁部と嵌合可能な嵌合受部が形成されている、請求項１１記載のウエットティッシュ供給キット。
【請求項１３】
該取り出し口部材はネジ部を有しており、該シール部材に該取り出し口部材を取り付ける際には、該ネジ部を該第二の開口部に挿入し締付方向に回転させることにより、該第二の開口部の周縁部に該嵌合受け部が装着するよう構成されている、請求項１２記載のウエットティッシュ供給キット。
【請求項１４】
該第三の開口部が、その周縁部において、該取り出し口部材の該嵌合受部又は該取り出し口部材に設けられた別の嵌合受部と嵌合可能に構成されている、請求項１２又は１３記載のウエットティッシュ供給キット。
【請求項１５】
該取り出し口部材は、切り込みを有しているか又は分割し得る構造を採っている、請求項１１〜１４のいずれか一項記載のウエットティッシュ供給キット。
【発明の詳細な説明】
【技術分野】
【０００１】
本発明は、包装袋を密封する目的でシール部材が付いている包装ウエットティッシュのシール部材に加工を施すことにより、使用の度にシール部材を剥離しなくとも内部のウエットティッシュを一枚ずつ容易に取り出せる機能をもたせた包装ウエットティッシュに関する。
【背景技術】
【０００２】
従来の包装ウエットティッシュは、大別して二つのタイプに分けることができる。一つは、ポケットティッシュのように持ち運び可能に構成された携帯用タイプであり、もう一つは、据え置きタイプであり、据え置きタイプの中には詰替用に対応できるものもある。
【０００３】
まず、図１を参照しながら従来の携帯用タイプの構成を簡単に説明すると、包装ウエットティッシュ１は、ウエットティッシュ包装袋２内にウエットティッシュペーパー（積層体）３が内包された構成を採っている。このウエットティッシュ包装袋２の上面には、破断線４が形成されており、未使用の状態では、この破断線４を覆うようにシール部材５がウエットティッシュ包装袋２に再剥離可能に貼着している。そして、使用の際には、このシール部材５をウエットティッシュ包装袋２から引き剥がすことにより、破断線４により囲まれた包装袋部分６がシール部材５の裏側に設けられた粘着剤層に貼着し、結果として、ウエットティッシュ包装袋２に開口部４’が形成される。このようにして形成された開口部４’を介して、ウエットティッシュを内部から取り出すことが可能となり、そして、使用後は、再びシール部材５をウエットティッシュ包装袋２に貼着することにより、次回使用するまでの間に内部が乾燥することを防止している。
【０００４】
次に、図２を参照しながら従来の詰替用タイプの構成を簡単に説明すると、詰替用の包装ウエットティッシュ１１の基本的な構成は、前記携帯用タイプと略同一である。即ち、未使用の状態では、包装ウエットティッシュ１１の上面にシール部材１２が貼着されている。そして、使用可能状態にするには、このシール部材１２を包装ウエットティッシュ１１から剥離することで開口部（図示せず）が形成される。但し、包装ウエットティッシュ１１は、開閉蓋１３ａを有する密閉系の収納容器１３内に収納されているため、包装ウエットティッシュ１１の開口部が開いたままでも、この蓋１３ａが閉じた状態では密封状態に保たれることになる。そして、使用の際には、この蓋１３ａを開けることにより形成される開口部１３ｂを通じて、包装ウエットティッシュ１１の内部からウエットティッシュを取り出すことになる。したがって、このタイプでは、前記の携帯用タイプと異なり、一旦剥離したシール部材１２は、再貼着する必要は無い。
【０００５】
ところで、このような構成を採る従来の包装ウエットティッシュには、次に述べるような問題点が在る。まず、従来の携帯用タイプにおいては、前記のように、使用の度にシール部材５を剥離し、また使用後には再貼着する必要がある。使用の度のこのような操作の繰り返しは大変面倒である。そのため、赤ちゃんのおしり拭きなどで使用されているような詰替用タイプでは、シール蓋を完全に剥離した上で、据え置きタイプの容器に入れて使用する。しかしながら、シール蓋を完全に剥離してしまうと容器に大きな開口部が生じるために、内容物が容易に乾燥してしまう。ここで、開口部４’の開口面積を小さくすれば有意な程度水分の蒸発を抑制することができるが、そのような開口面積とした場合には、内部のウエットティッシュの最初の引き出しができず、このような構成を採ることはできないのが実情である。
【０００６】
また、詰替用タイプにおいては、使用後に開閉蓋１３ａを十分に閉じなかった場合又は閉め忘れた場合に、短時間でウエットティッシュ袋の内容物が乾燥してしまうという問題がある。この場合も、前記従来の携帯用タイプと同じく、ウエットティッシュ１１の開口部の開口面積を小さくすれば有意な程度水分の蒸発を抑制できるが、内部のウエットティッシュの最初の引き出しができず、このような構成は採れないのである。
【特許文献１】特開平７−２２３６８８号公報
【発明の開示】
【発明が解決しようとする課題】
【０００７】
そこで、本発明は、従来のウエットティッシュ包材のシール蓋部に僅かな加工を施すだけで、毎回のシールの開け閉めの面倒がなくなり、包材内部のウエットティッシュの乾燥を抑制することができる手段を提供することを目的とする。
【課題を解決するための手段】
【０００８】
本発明（１）は、開口部形状の破断線からなる開口形成予定部（１００ａ）が形成されている気密性の軟質包装材料用の包装袋（１００）中に積層した又は捲回したウエットティッシュペーパー（２００）を収納した包装袋（１００）と、該破断線を覆うように接着された再貼着可能なシール部材（３００）とからなる包装ウエットティッシュ（Ａ）であって、該シール部材（３００）を剥離することにより、該包装袋（１００）の該開口形成予定部（１００ａ）に対応する部分の包装袋部分（１００ｂ）がシール部材（３００）側に貼着することで、該包装袋（１００）に第一の開口部（１００ｃ）が形成され、また、シール部材（３００）に貼着した該包装袋部分（１００ｂ）を該シール部材（３００）から剥離除去することにより、該シール部材（３００）にも、第一の開口部（１００ｃ）よりも小さい第二の開口部（３００ａ）が形成されるように構成された包装ウエットティッシュ（Ａ）である。
【０００９】
本発明（２）は、該第二の開口部（３００ａ）は、そこを介して取り出し口部材（４００）が該シール部材（３００）に装着可能なように構成されており、ここで、該取り出し口部材（４００）は、ウエットティッシュ（２００ａ）の先頭部（２００ａ−１）を保持すると共に、引き出されたウエットティッシュ（２００ａ）を使用単位長さにカットするか又は使用単位分だけ取り出す際の押さえの機能を有する取り出し口（開口部４０５）を有している、前記発明（１）の包装ウエットティッシュ（Ａ）である。
【００１０】
本発明（３）は、該包装ウエットティッシュ（Ａ）は、自己の形状を保持することのできる収納容器（５１０，５２０）に収納可能であり、ここで、該収納容器（５１０，５２０）は、第三の開口部（５１３，５２３）とそれを覆う開閉蓋（５１２，５２２）とを有しており（例えば、上面や側面に）、かつ、該第三の開口部（５１３，５２３）は、そこを介して該取り出し口部材（４００）が該収納容器（５１０，５２０）に装着可能（例えば懸垂状に）なように構成されている、前記発明（２）の包装ウエットティッシュ（Ａ）である。
【００１１】
本発明（４）は、該取り出し口部材が、該取り出し口部材（４６１）と一体化した、該取り出し口を覆って密閉することができる蓋部材（４６２）、又は、該取り出し口部材（４００）に着脱可能な、該取り出し口を覆って密閉することができる蓋部材（４５０）を更に有する、前記発明（２）の包装ウエットティッシュ（Ａ）である。
【００１２】
本発明（５）は、該第二の開口部（３００ａ）は、当初から該シール部材（３１０）に形成されているか、又は、開口部形状の破断線からなる開口形成予定部（３００ｂ）が該シール部材（３００）に形成されており、使用の際に該シール部材（３００，３１０）に貼着した該包装袋部分（１００ｂ）を剥離除去することにより、該シール部材（１００ｂ）に該第二の開口部（３００ａ）が形成されるように構成されている、前記発明（１）〜（４）のいずれか一つの包装ウエットティッシュ（Ａ）である。
【００１３】
本発明（６）は、開口部形状の破断線からなる開口形成予定部（１００ａ）が形成されている気密性の軟質包装材料用の包装袋（１００）中に積層した又は捲回したウエットティッシュペーパー（２００）を収納した包装袋（１００）と、該破断線を覆うように接着された再貼着可能なシール部材（３００）とからなる包装ウエットティッシュ（Ａ）であって、該シール部材（３００）を剥離することにより、該包装袋（１００）の該開口形成予定部（１００ａ）に対応する部分の包装袋部分（１００ｂ）がシール部材（３００）側に貼着することで、該包装袋（１００）に第一の開口部（１００ｃ）が形成され、また、シール部材（３００）に貼着した該包装袋部分（１００ｂ）を該シール部材（３００）から剥離除去することにより、該シール部材（３００）にも、第一の開口部（１００ｃ）よりも小さい第二の開口部（３００ａ）が形成されるように構成された包装ウエットティッシュ（Ａ）と、
ウエットティッシュ（２００ａ）の先頭部（２００ａ−１）を保持すると共に、引き出されたウエットティッシュを使用単位長さにカットするか又は使用単位分だけ取り出す際の押さえの機能を有している取り出し口（開口部４０５）を有する、該第二の開口部（３００ａ）を介して該シール部材（３００）に装着可能なように構成されている該取り出し口部材（４００，４６０）と、
から構成されているウエットティッシュ供給キット（Ｂ−１，Ｂ−２，Ｂ−３）である。ここで、該包装袋（１００）内のウエットティッシュ（２００）を使用可能にセットするには、例えば、該包装袋（１００）から該シール部材（３００）を剥離して該第一の開口部（１００ｃ）を該包装袋（１００）に形成させ、次いで、該シール部材（３００）に貼着した該包装袋部分（１００ｂ）を剥離除去することにより、該シール部材（３００）に該第二の開口部（３００ａ）を形成させ、次いで、〔１〕該取り出し口部材（４００，４６０）を該第二の開口部（３００ａ）に取り付けた後、該第一の開口部（１００ｃ）を介して該包装袋（１００）から引き出したウエットティッシュペーパー（２００ａ）の先頭部（２００ａ−１）を該取り出し口部材（４００，４６０）に挿入することにより、該取り出し口（開口部４０５）から該先頭部（２００ａ−１）を突出させ、次いで、該シール部材（３００）を剥離前の位置と略同一に包装袋（１００）に再貼着するか、〔２〕該第一の開口部（１００ｃ）を介して該包装袋（１００）から引き出したウエットティッシュペーパー（２００ａ）の先頭部（２００ａ−１）を該取り出し口部材（４００，４６０）に挿入することにより、該取り出し口（開口部４０５）から該先頭部（２００ａ−１）を突出させた後、該取り出し口部材（４００，４６０）を該第二の開口部（３００ａ）に取り付け、次いで、該シール部材（３００）を剥離前の位置と略同一に包装袋（１００）に再貼着するか、〔３〕該第二の開口部（３００ａ）からウエットティッシュペーパー（２００ａ）の先頭部（２００ａ−１）が突出した状態で、該シール部材（３００）を該包装袋（１００）に再貼着し、次いで、該先頭部（２００ａ−１）を取り出し口部材（４１０，４２０，４３０）に挿入することにより、該取り出し口（図１２では図示せず）から該先頭部（２００ａ−１）を突出させた後、該取り出し口部材（４１０，４２０，４３０）を該第二の開口部に螺嵌させる、等々の方法が採用され得る。
【００１４】
本発明（７）は、該取り出し口部材が、該取り出し口部材（４６１）と一体化した、該取り出し口を覆って密閉することができる蓋部材（４６２）、又は、該取り出し口部材（４００）に着脱可能な、該取り出し口を覆って密閉することができる蓋部材（４５０）を更に有する、前記発明（６）のウエットティッシュ供給キット（Ｂ−３，Ｂ−２）である。
【００１５】
本発明（８）は、該取り出し口部材（４００）の外周面には、該第二の開口部（３００ａ）の周縁部と嵌合可能な嵌合受部（４０２）が形成されている、前記発明（６）〜（７）のいずれか一つのウエットティッシュ供給キット（Ｂ−１，Ｂ−２，Ｂ−３）である。尚、本特許請求の範囲及び本明細書において「嵌合」とは、螺嵌も包含する概念である。
【００１６】
本発明（９）は、該取り出し口部材（４１０，４２０，４３０）はネジ部（４１３，４２４，４３３）を有しており、該シール部材（３００）に該取り出し口部材（４１０，４２０，４３０）を取り付ける際には、該ネジ部（４１３，４２４，４３３）を該第二の開口部（３００ａ）に挿入し締付方向に回転させることにより、該第二の開口部（３００ａ）の周縁部に該嵌合受け部（４１２，４２３，４３４）が装着するよう構成されている、前記発明（６）〜（８）のいずれか一つのウエットティッシュ供給キット（Ｂ−１，Ｂ−２，Ｂ−３）である。
【００１７】
本発明（１０）は、該取り出し口部材が、切り込み（４４２）を有しているか又は分割し得る構造を採っている、前記発明（６）〜（９）のいずれか一つのウエットティッシュ供給キット（Ｂ−１，Ｂ−２，Ｂ−３）である。
【００１８】
本発明（１２）は、開口部形状の破断線からなる開口形成予定部（１００ａ）が形成されている気密性の軟質包装材料用の包装袋（１００）中に積層した又は捲回したウエットティッシュペーパー（２００）を収納した包装袋（１００）と、該破断線を覆うように接着された再貼着可能なシール部材（３００）とからなる包装ウエットティッシュ（Ａ）であって、該シール部材（３００）を剥離することにより、該包装袋（１００）の該開口形成予定部（１００ａ）に対応する部分の包装袋部分（１００ｂ）がシール部材（３００）側に貼着することで、該包装袋（１００）に第一の開口部（１００ｃ）が形成され、また、シール部材（３００）に貼着した該包装袋部分（１００ｂ）を該シール部材（３００）から剥離除去することにより、該シール部材（３００）にも、第一の開口部（１００ｃ）よりも小さい第二の開口部（３００ａ）が形成されるように構成された包装ウエットティッシュ（Ａ）と、
場合により、ウエットティッシュ（２００ａ）の先頭部（２００ａ−１）を保持すると共に、引き出されたウエットティッシュを使用単位長さにカットするか又は使用単位分だけ取り出す際の押さえの機能を有している取り出し口（開口部４０５）を有する、該第二の開口部（３００ａ）を介して該シール部材（３００）に装着可能なように構成されている該取り出し口部材（４００）と、
第三の開口部（５０３，５１３，５２３）とそれを覆う開閉蓋（５０２，５１２，５２２）とを有している収納容器（５００，５１０，５２０）であって、該第三の開口部（５０３，５１３，５２３）が、そこを介して、該第二の開口部（３００ａ）より又は該取り出し口部材（４００）の該取り出し口（開口部４０５）より突出したウエットティッシュ（２００）の該先頭部（２００ａ−１）を引出し可能に構成されている、自己の形状を保持することのできる収納容器（５００，５１０，５２０）と、
から構成されているウエットティッシュ供給キット（Ｃ−１，Ｃ−２，Ｃ−３）である。ここで、該包装袋（１００）内のウエットティッシュ（２００）を使用可能にセットするには、例えば、該包装袋（１００）から該シール部材（３００）を剥離して該第一の開口部（１００ｃ）を該包装袋（１００）に形成させ、次いで、該シール部材（３００）に貼着した該包装袋部分（１００ｂ）を剥離除去することにより、該シール部材（３００）に該第二の開口部（３００ａ）を形成させ、次いで、〔１〕該第一の開口部（１００ｃ）を介して該包装袋（１００）から引き出したウエットティッシュペーパー（２００ａ）の先頭部（２００ａ−１）を該第二の開口部（３００ａ）に挿入することにより、該第二の開口部（３００ａ）から該先頭部（２００ａ−１）を突出させ、次いで、該シール部材（３００）を剥離前の位置と略同一に包装袋（１００）に再貼着するか、〔２〕取り出し口部材（４００）を用いる場合には、該取り出し口部材（４００）を該第二の開口部（３００ａ）に取り付けた後、該第一の開口部（１００ｃ）を介して該包装袋（１００）から引き出したウエットティッシュペーパー（２００ａ）の先頭部（２００ａ−１）を該取り出し口部材（４００）を挿入することにより、該取り出し口（開口部４０５）から該先頭部（２００ａ−１）を突出させ、次いで、該シール部材（３００）を剥離前の位置と略同一に包装袋（１００）に再貼着するか、〔３〕該第一の開口部（１００ｃ）を介して該包装袋（１００）から引き出したウエットティッシュペーパー（２００ａ）の先頭部（２００ａ−１）を該取り出し口部材（４００）に挿入することにより、該取り出し口（開口部４０５）から該先頭部（２００ａ−１）を突出させた後、該取り出し口部材（４００）を該第二の開口部（３００ａ）に取り付け、次いで、該シール部材（３００）を剥離前の位置と略同一に包装袋（１００）に再貼着するか、〔４〕該第二の開口部（３００ａ）からウエットティッシュペーパー（２００ａ）の先頭部（２００ａ−１）が突出した状態で、該シール部材（３００）を該包装袋（１００）に再貼着し、次いで、該先頭部（２００ａ−１）を取り出し口部材（４１０，４２０，４３０）に挿入することにより、該取り出し口（図１２では図示せず）から該先頭部（２００ａ−１）を突出させた後、該取り出し口部材（４１０，４２０，４３０）を該第二の開口部に螺嵌させる、等々の方法が採用され得る。
【００１９】
本発明（１２）は、該取り出し口部材（４００）の外周面には、該第二の開口部（３００ａ）の周縁部と嵌合可能な嵌合受部（４０２）が形成されている、前記発明（１１）のウエットティッシュ供給キット（Ｃ−１，Ｃ−２，Ｃ−３）である。
【００２０】
本発明（１３）は、該取り出し口部材（４１０，４２０，４３０）はネジ部（４１３，４２４，４３３）を有しており、該シール部材（３００）に該取り出し口部材（４１０，４２０，４３０）を取り付ける際には、該ネジ部（４１３，４２４，４３３）を該第二の開口部（３００ａ）に挿入し締付方向に回転させることにより、該第二の開口部（３００ａ）の周縁部に該嵌合受け部（４１２，４２３，４３４）が装着するよう構成されている、前記発明（１２）のウエットティッシュ供給キット（Ｃ−１，Ｃ−２，Ｃ−３）である。
【００２１】
本発明（１４）は、該第三の開口部（５１３，５２３）が、その周縁部において、該取り出し口部材（４００）の該嵌合受部（４０２）又は該取り出し口部材に設けられた別の嵌合受部と嵌合可能に構成されている、前記発明（１２）又は（１３）のウエットティッシュ供給キット（Ｃ−１，Ｃ−２，Ｃ−３）である。
【００２２】
本発明（１５）は、該取り出し口部材（４３０）は、切り込み（４４２）を有しているか又は分割し得る構造を採っている、前記発明（１１）〜（１４）のいずれか一つのウエットティッシュ供給キット（Ｃ−１，Ｃ−２，Ｃ−３）である。
【発明の効果】
【００２３】
本発明によれば、従来のウエットティッシュ包材のシール蓋部に僅かな加工を施すだけで、毎回のシールの開け閉めの面倒がなくなり、包材内部のウエットティッシュの乾燥を防止することができる。
【発明を実施するための最良の形態】
【００２４】
本発明に係る包装ウエットティッシュは、気密性の軟質包装材料の包装袋、その内部に収納されたウエットティッシュペーパー積層体及び捲回体、そして、再貼着可能なシール部材を必須構成要件とする。ついては、各部材につき、必要に応じて図面を参照しながら説明することとする。尚、参照した図面はあくまで一例に過ぎず、これらにより本発明は限定されるものではなく、同一の技術思想をすべて包含することはいうまでもない。
【００２５】
まず、包装袋に関しては、その内部にウエットティッシュを収納しているものであるから、その材質としては、内容物の蒸散を防ぎ、また、落下細菌や外部の汚れからの影響を小さくする程度の気密性が要求される。また、持ち運びや取扱い等の観点から、軟質であることが好適である。したがって、前記性質を有する限り材質は特に限定されないが、例えば、合成樹脂の多層フィルムや、特に内容物の蒸散を防止するという観点から、アルミ（金属）蒸着フィルムやＧＬＰＥＴを用いることが好適である。なお、形状も特に限定されないが、例えば、図３（包装袋１００）に示すような形態（長方形）を挙げることができる。
【００２６】
また、この包装袋には、包装袋に貼着された、後述するシール部材を剥離した際、シール部材に追従して破断するような強度を有する破断線からなる開口形成予定部が形成されている。尚、開口形成予定部の破断線は、その部分だけ厚さを薄くしたり、あるいは点線として構成してもよい。また、この開口形成予定部の大きさや形状については、内部のウエットティッシュが使用者の手でピックアップ可能なものであれば特に限定されない。図３を参照しながら具体的に説明すると、包装袋１００には、長円形状（長軸径６cm、短軸径３cm）の切込みが入った開口形成予定部１００ａが形成されており、この上にシール部材３００が貼着されている。そして、このシール部材３００を剥離した際に、この開口形成予定部１００ａに対応した包装袋部分１００ｂが、シール部材３００の裏面に形成された粘着剤層に付着すると共に、第一の開口部１００ｃが、包装袋１００上に形成される。
【００２７】
包装袋内に収納されたウエットティッシュとしては、パルプ、綿、麻などの植物繊維、毛、絹などの動物繊維、レーヨン、キュプラのような再生繊維、アセテート、プロミックスのような半合成繊維、合成繊維などからなる不織布、天然パルプ、合成パルプなどからなる紙、あるいはガーゼ等の布など湿潤強度を有するシート状物からなり、水、アルコール等の液状成分に香料、界面活性剤、保湿材、消臭剤、保存剤・殺菌剤等の薬剤、油、パウダーが混合された溶液を含む公知のものが、いずれも好適に使用可能である。
【００２８】
また、ウエットティッシュ積層体は、各紙葉が互いに重なりを有して折り畳まれているか、或いは、切り込み線（例えばミシン目）を介して各紙葉が連続的に繋がっておりこれらが折り畳まれた構成を採っている。そして、１枚のウエットティッシュを包装袋の第一の開口部から取り出すと（後者の態様については更に切り込み線から切断すると）、続く紙葉の先頭部が包装袋から突出するような構成を採っている。また、ウエットティッシュ捲回体は、帯状紙葉を捲回したもの（ロール状）であり、所定長さ間隔ごとに切断用の切り込み線（例えばミシン目）が形成されている。尚、ウエットティッシュ捲回体の帯状ウエットティッシュは、その中心側から順次引き出されるよう構成することが好適である。
【００２９】
次に、シール部材について説明する。まず、シール部材は、包装袋と同じく、内容物の蒸散を防ぎ、また、落下細菌や外部の汚れからの影響を小さくする程度の気密性を有する材質から構成されている。そして、シール部材の裏面には、再貼着・再剥離可能な粘着剤が塗布されている。尚、裏面全面でなくとも、ウエットティッシュを取り出す際に包装袋から剥離しない限り、部分的な塗布でもよい。粘着剤としては、例えば合成樹脂を成分としたものを挙げることができ、厚さは１００μｍ以上であることが好適である。また、本発明については、シール部材の再貼着を行うため、完全にシール部材が包装袋から剥離することを防止するために、ストッパーを設けることが好適である。例えば、図４の３００ｄがそれに当たる。
【００３０】
このシール部材には、第一の態様として、シール部材の裏面に形成された粘着層に付着した包装袋部分を引き剥がした際に、包装袋部分に追従して破断するような強度を有する破断線からなる開口形成予定部が形成されている。例えば、図面を参照しながら具体的に説明すると、図９（ア）に示すように、シール部材３００には、開口形成予定部３００ｂが形成されており、このシール部材３００の裏面粘着剤層に貼り付いた包装袋部分１００ｂをシール部材３００から剥離すると、図４に示すように、包装袋部分１００に、開口形成予定部３００ｂに対応したシール部材部分３００ｃが貼り付き、結果として、シール部材３００には、第二の開口部３００ａが形成される。
【００３１】
また、第二の態様は、当初からシール部材に第二の開口部が形成されているタイプである。具体例としては図９（イ）を参照されたい。尚、図９（イ）の態様に関しては、シール部材に付着した包装袋部分を引き剥がす前の状態においては、第二の開口部に相当する部分に何も存在していなくとも、第二の開口部に相当する形状のシール部材｛図９（イ）の例では円形のシール部材｝が存在していてもよい。
【００３２】
ここで、第二の開口部の形状や大きさであるが、まず、後で説明するような取り出し口部材を取り付けないでこのまま使用する態様の場合には、第二の開口部が、それ自体で、ウエットティッシュの先頭部を保持すると共に、引き出されたウエットティッシュを使用単位長さにカットするか又は使用単位分だけ取り出す際の押さえの機能を有するような大きさや形状である必要がある。更には、内容物の乾燥を抑制したり、絞り効果を奏するものであることが好適である。このような機能を有する限り、第二の開口部の大きさや形状は限定されないが、例えば、大きさについては０．１〜５mm程度、また、形状については、円形、楕円、単なる切込み等を挙げることができる。
【００３３】
また、取り出し口部材を取り付けて使用する態様の場合には、第二の開口部が、この取り出し口部材をそこに取り付け可能な程度の大きさや形状である必要がある。したがって、その大きさや形状は、そこに取り付けられる取り出し口部材との関係で決定される。
【００３４】
次に、取り出し口部材について説明する。この取り出し口部材は、ウエットティッシュの先頭部を保持すると共に、引き出されたウエットティッシュを使用単位長さにカットするか又は使用単位分だけ取り出す際の押さえの機能を有している取り出し口（更には、内容物の乾燥を抑制したり、絞り効果を奏するものであることが好適である）を有し、かつ、シール部材の第二の開口部に取り付け可能である限り、特に限定されない。例えば、図１０（Ａ）に示された例においては、取り出し口部材４００は、挿入部４０１、嵌合受部４０２、基部４０３から構成されており、上記機能を有する取り出し口は、内部に形成された細幅通路４０６、その先頭部の開口部４０５、そして、その後尾部の挿入穴部４０４とから構成されている。この態様については、挿入部４０１を第二の開口部に突っ込む形で挿入作業を行うことになる。尚、この態様においては、開口部４０５が、主として上記機能を奏することとなる。ただし、細幅通路４０６が上記機能を有していても（例えば、内径が部分的に小さくなっている態様）、また、挿入穴部４０４が上記機能を有していてもよい。また、図１２（ａ）に示す態様については、第二の開口部の表面方向（即ち、粘着剤層の裏側）から、第二の開口部にネジ部４１３を挿入した後、締付方向に回転させると（この図の態様の場合には時計回り）、最終的には、第二の開口部の周縁部が、取り出し口部材４１０の嵌合受け部４１２と係合する結果、取り出し口部材４１０はシール部材に固定される。尚、収納容器に取り出し口部材が固定されているタイプ（例えば、図１８や図１９に示すタイプ）にこの取り出し口部材４１０を適用する場合には、前記のように、第二の開口部に取り出し口部材４１０を取り付けた後、更に、ウエットティッシュを取り出し口部材４１０の細幅通路（図示せず）に通して第二の開口部（図示せず）から突出させ、シール部材を包装ウエットティッシュに再貼着した後に、収納容器の第三の開口部の下から、包装ウエットティッシュから突き出した挿入部４１１を第三の開口部に押し込むことにより、第三の開口部の周縁部が嵌合受け部４１２と係合し、この結果、取り出し口部材４１０は、収納容器に固定されることになる。また、図１２（ｂ）に示す態様は、収納容器に取り出し口が固定されるタイプ用の取り出し口部材４２０であり、取り出し口部材を第二の開口部の周縁部に係合させるためのネジ部４２４と、取り出し口部材を第三の開口部の周縁部に係合させるためのネジ部４２５を備えている。この取り出し口部材４２０を包装ウエットティッシュと収納容器に取り付ける際には、例えば、第二の開口部からウエットティッシュが既に引き出された状態の包装ウエットティッシュ（シール部材は既に貼着されている）を収納容器内にセットし、収納容器の第三の開口部からウエットティッシュを引き出した後、この引き出したウエットティッシュの先頭部を取り出し口部材４２０の裏側から差込んだ後、取り出し口（図示せず）から突出するまで押し込み、該先頭部が取り出し口から突出したら、次いで、第三の開口部下に第二の開口部が配するように収納容器内にセットし（例えば、容器下から包装ウエットティッシュを手で押し、容器上面裏に包装ウエットティッシュの上面が接触するようにする）、この状態で、取り出し口部材４２０のネジ部４２５が第三の開口部に、また、取り出し口部材４２０のネジ部４２４が第二の開口部に、夫々入り込むように挿入し、締付方向に回転させると（この図の態様の場合には時計回り）、最終的には、第三の開口部の周縁部が取り出し口部材４２０の嵌合受け部４２２と、また、第二の開口部の周縁部が取り出し口部材４２０の嵌合受け部４２３と、夫々係合する結果、取り出し口部材４２０は包装ウエットティッシュ及び収納容器の両方に固定される。また、図１２（ａ）の態様では、第二の開口部と第三の開口部が同じ嵌合受け部に入り込む態様であるが、図１２（ｃ）に示すように、別々の嵌合受け部（即ち、第二の開口部は４３４に、第三の開口部は４３２に）入り込む態様でもよい。
【００３５】
また、細幅通路４０６について更に詳しく説明すると、前述のように、この細幅通路４０６の先頭に形成された開口部４０５は、ウエットティッシュの先頭部を保持すると共に、引き出されたウエットティッシュを使用単位長さにカットするか又は使用単位分だけ取り出す際の押さえの機能を有している。また、後尾に形成された挿入穴部４０４は、後尾は、挿入操作が容易になるよう、開口部４０５より大きい径を有することが好適である。尚、図１０に示す態様につき、材料として、例えば口ゴム（シリコーンゴム）を選択した場合には、細幅通路の長さを約１．２mm程度・開口部の径を２．８mm程度に設定することが好適であるが、細幅通路の長さや径は、材料の選択等により相違し、前記機能を有する限り、これより長くても短くても構わない。
【００３６】
取り出し口部材の材質については、耐水性と適度の剛性を有するものであることが好適であり、例えば、合成樹脂（ＰＰ，ＰＥ，ＰＥＴ，ナイロン、アクリル）、シリコンゴム、エラストマーを挙げることができる。
【００３７】
また、取り出し口の形状についても、前記機能を奏する限りは特に限定されず、例えば、図１１に示すような、円、楕円、十字、星型、円＋十字、ハート型、勾玉型を挙げることができる。
【００３８】
更に、取り出し口内へのウエットティッシュの挿入を容易にするために、例えば、図１３に示したような、細幅通路４４１まで達する切込み４４２を、取り出し口部材４４０に設けてもよい。更には、取り出し口内へのウエットティッシュの挿入を容易にするために、取り出し口部材を分割タイプ（好適には二分割）としてもよい（図示せず）。この場合、ウエットティッシュを取り出し口部材の各分割部品で挟み込んだ後、固定具で容易に分割しないよう固定することが好適である。尚、切り込みタイプも分割タイプも、ウエットティッシュが切り込み部分や分割部品間の隙間に入り込むことが考えられ、この場合には、これらの部分も本発明にいう「取り出し口」の一部として機能するものとする。
【００３９】
尚、後述の収納容器に収納して使用するタイプでなく、単にこの取り出し口部材を第二の開口部に取り付けて使用するタイプに関しては、好適には、内部の液体の蒸散を防止するために、取り出し口部材の取り出し口を封止する手段、例えば、キャップ（蓋）を備えることが好適である。例えば、まず、図１４に示す態様（Ｂ−１）においては、取り出し口はキャップを供えていない。ただ、この態様でも、開口部により保持されているウエットティッシュの存在によってかなり密封されているので、内部液体の蒸散は、ある程度の時間であれば問題なく抑制できる。ただ、この態様よりも、例えば、図１５に示す態様（Ｂ−２）のような、取り出し口部材４００と別体型のキャップ４５０を被せたり、または、図１６に示す態様（Ｂ−３）のような、取り出し口部４６１とキャップ４６２とを一体形成することの方が、より長時間、内部液体の蒸散が防止できるという点で好適である。
【００４０】
次に、包装ウエットティッシュを収納容器に収納するタイプに関して説明する。この収納容器は、軟包材で構成された包装ウエットティッシュを収納可能であり、第三の開口部とそれを覆う開閉蓋とを有しており、かつ、自己の形状を保持することができる限り、大きさ、形状、材質等は特に限定されない。例えば、材質に関しては、軟包材より硬い材質から選択され、例えば、合成樹脂、紙、木材を挙げることができ、特に、コスト面・生産性を考慮すると合成樹脂が好適である。また、開閉蓋に関しても特に限定されず、図２０（Ａ）及び（Ｂ）に示すようなオープン蓋タイプや、図２０（Ｃ）及び（Ｄ）に示すようなスライド蓋タイプを挙げることができる。また、容器の形態としては、例えば、図２０（Ａ）及び（Ｃ）に示すような、基材上に包装ウエットティッシュを置き、容器を被せるタイプや、図２０（Ｂ）及び（Ｄ）に示すような、容器内に包装ウエットティッシュを置き、蓋を被せるタイプを挙げることができる。
【００４１】
この収納容器に収納するタイプにつき、図を参照しながら具体例を説明する。まず、図１７に示す収納容器５００は、第三の開口部５０３をその上面に有し、包装ウエットティッシュ１００を収納する収納部５０１と、前記開口部５０３を覆う蓋５０２とからなる。そして、この収納容器５００内には、取り出し口部材４００が取り付けられている包装ウエットティッシュ１００が収納されている。ここで、この態様においては、開口部５０３は、取り出し口部材４００の径よりも大きく構成されている。尚、図１７は、取り出し口部材４００を付けた態様が示されているが、シール部材の第二の開口部が、それ自体、ウエットティッシュの先頭部を保持すると共に、引き出されたウエットティッシュを使用単位長さにカットするか又は使用単位分だけ取り出す際の押さえの機能を有している場合には、取り出し口部材を付ける必要が無く、このような態様もこのタイプに含まれることを付け加えておく。
【００４２】
次に、図１８に示す収納容器５１０も、基本的には図１７に示す収納容器５００と同じ構成であるが、相違点は、まず、この態様については、取り出し口部材４００が包装ウエットティッシュ１００に付けられているということと、この取り出し口部材４００が第三の開口部５１３に係合するように、取り出し口部材４００や第三の開口部５１３の形状や大きさ等が構成されているという点である。例えば、図１８の態様では、収納部材の第三の開口部５１３の径は、取り出し口部材４００の挿入部４０１の上面部（図における、ウエットティッシュの先頭部２００ａ−１が出ている面）のそれより大きく、また、下面部（図における、収納部５１１の上面と接触している面）のそれより小さく設定されている。そして、この取り出し口部材４００を収納容器５１０に取り付ける際には、収納容器５１０の開口部５１３の裏側から、包装ウエットティッシュ１００に取り付けられた取り出し口部材４００の挿入部４０１を押し込み、該挿入部４０１及び／又は収納部５１１の開口部５１３の周縁部の弾性変形により、挿入部４０１の下面部が開口部５１３を超え、その結果、取り出し口部材４００の嵌合部４０２が開口部５１３周縁部に嵌合する。このような構成を採ることにより、容器蓋部での蒸散しかないため、内容物の蒸散が、図１７の態様と比べ、更に低く抑制できる。尚、図１８では、包装ウエットティッシュ１００の底が浮いた状態で、包装ウエットティッシュ１００が収納容器５１０内で吊られている（即ち、懸垂状）が、包装ウエットティッシュ１００の底が収納容器についていてもよい。
【００４３】
図１９は、基本的には図１８と同じであり、唯一の相違点は、より内部の蒸散を防止するために、蓋に変更が加えられている点である。蓋５２２は、収納部５２１から突出した取り出し口部材４００の突出部を取り囲むように、突起部５２２ａが設けられている。
【００４４】
最後に、本発明に係る包装ウエットティッシュの使用方法（使用可能にするためのセッティング方法）を例示する。これに関しては、（１）包装ウエットティッシュのみの態様（即ち、シール部材の第二の開口部が、それ自体、ウエットティッシュの先頭部を保持すると共に、引き出されたウエットティッシュを使用単位長さにカットするか又は使用単位分だけ取り出す際の押さえの機能を有している態様）、（２）包装ウエットティッシュに取り付け口部材と取り付けた態様（第一のウエットティッシュ供給キットの態様）、そして、（３）取り付け口部材が取り付けられた包装ウエットティッシュを包装容器に入れ、かつ、取り付け部材を包装容器に係合させる態様（第二のウエットティッシュ供給キットの態様）に分けて説明する。
【００４５】
まず、（１）については、図３〜図５を参照しながら説明する。まず、図３に示すように、シール部材３００をＩからIIの方向に引っ張りあげる。このような操作を行うことにより、包装袋１００に形成された開口形成予定部１００ａが破断し、包装袋１００には第一の開口部１００ｃが形成されると共に、シール部材３００の裏面の粘着剤層には、包装袋部分１００ｂが貼り付くことになる。そして、図４の状態までシール部材３００を剥離した状態で、包装袋部分１００ｂをシール部材３００から剥離除去する。この操作により、シール部材３００に形成された開口予定部３００ｂが破断し、このシール部材部分３００ｃが包装袋部分１００ｂに貼り付くと共に、シール部材３００には、第二の開口部３００ａが形成される。そして、図５に示すように、包装袋１００ｂをシール部材３００から完全に剥離した後、包装袋１００の第一の開口部１００ｃからウエットティッシュ２００をつまみ出し、その先端部をシール部材の裏面から第二の開口部３００ａに差込み、その先端部がシール部材の表面に顔を出したら、必要に応じ表面からウエットティッシュ２００の先端部を更に引っ張ることで十分に先端部を突出させた後、シール部材３００を剥離前の位置と略同一に包装袋に再貼着する。尚、図５においては、取り出し口部材４００が示されているが、（１）の態様については無視すべき部材であり、加えて、ウエットティッシュ２００を第二の開口部３００ａに差し込む操作については、（１）の態様については図示しなかったが、後述の（２）及び（３）の態様の説明及び図面を参照されたい。これにより、（１）の態様についてはセッティングが完了する。
【００４６】
次に、（２）及び（３）の態様については、図５〜図８を参照しながら説明する。尚、第二の開口部３００ａを形成させるまでの操作は、上記（１）の態様と同じであるので、それ以後の操作につき説明する。図５に示すように、挿入部４０１を頭にして、第二の開口部３００ａの裏面から取り出し口部材４００を挿入する。そして、図６に示すように、挿入部４０１が完全に第二の開口部３００ａを突き抜け、基部４０４がシール部材３００裏面に当接した状態（即ち、嵌合部４０２が、第二の開口部３００ａの周縁部に嵌合した状態）で、図６に示すように、第一の開口部１００ｃを介して該包装袋１００から引き出したウエットティッシュペーパー２００ａの先頭部２００ａ−１を取り出し口部材４００の裏側から挿入してその表側に押し出すことにより、取り出し口部材の開口部（この図では図示せず、他図では４０５）から該先頭部２００ａ−１を突出させる。又は、図示しないが、第一の開口部１００ｃを介して包装袋１００から引き出したウエットティッシュペーパー２００の先頭部２００ａ−１を取り出し口部材４００の裏側から挿入してその表側に押し出すことにより、取り出し口部材の開口部４０５から該先頭部２００ａ−１を突出させた後、取り出し口部材４００を第二の開口部３００ａに取り付けてもよい。そして、最後に、図８に示すように、シール部材３００を剥離前の位置と略同一に包装袋に再貼着する。これで、（２）の態様についてはセッティングが完了する。また、（３）の態様に関しては、図１８に示すような収納部材５１１（図示されていないが、この収納部材は、図２０に示すような構成を採っている）を開けた状態で、第三の開口部５１３の裏面から、取り出し口部材４００の挿入部４０１を第三の開口部５１３に挿入し、基部４０３が第三の開口部５１３の裏面に当接するまで（即ち、嵌合部４０２が、第三の開口部５１３の周縁部に嵌合した状態になるまで）押し込む。そして、取り出し口部材４００が第三の開口部５１３に完全に嵌合した状態で、裏蓋等を閉めることで、（３）の態様についてもセッティングが完了する。
【図面の簡単な説明】
【００４７】
【図１】図１は、シール部材の剥離により開口部が形成されつつある状態を示す、従来の携帯用タイプの包装ウエットティッシュの斜視図である。
【図２】図２は、シール部材が未だ剥離されていない状態の、従来の詰替用の包装ウエットティッシュの斜視図である。
【図３】図３は、シールの剥離により第一の開口部が形成されつつある状態を示す、本発明の包装ウエットティッシュの斜視図である。
【図４】図４は、シール部材の剥離により第一の開口部が形成され、かつ、シール部材に貼り付いた包装袋部分を剥離することにより第二の開口部が形成された状態を示す、本発明の包装ウエットティッシュの斜視図である。
【図５】図５は、第二の開口部が形成された後、取り出し口部材をとり付ける前の状態を示す、本発明の包装ウエットティッシュの斜視図である。
【図６】図６は、取り出し口部材を第二の開口部に取り付けた後、ウエットティッシュを取り出し口部材に差し込む前の状態を示す、本発明の包装ウエットティッシュの斜視図である。
【図７】図７は、ウエットティッシュを取り出し口部材に差し込んでその先頭部が取り出し口を突出した状態を示す、本発明の包装ウエットティッシュの斜視図である。
【図８】図８は、取り出し口からウエットティッシュの先頭部を突出させた後にシール部材を包装袋に再貼着した状態を示す、本発明の包装ウエットティッシュの斜視図である。
【図９】図９は、本発明に係るシール部材の正面図であり、（ア）は開口形成予定部が形成されている態様、（イ）は当初から第二の開口部が形成されている態様を示す。
【図１０】図１０は、本発明に係る取り出し口部材の側面図（ａ）及び断面図（ｂ）である。
【図１１】図１１は、本発明に係る取り出し口部材の各種形状を示したものである。
【図１２】図１２（ａ）〜（ｃ）は、各種構造のネジ部を有する、本発明に係る取り出し口部材である。
【図１３】図１３は、切込み部を有する、本発明に係る取り出し口部材である。
【図１４】図１４は、包装ウエットティッシュに取り出し口部材が取り付けられた、本発明のウエットティッシュ供給キットの断面図である。
【図１５】図１５は、包装ウエットティッシュに取り出し口部材（脱着可能な蓋が付いている態様）が取り付けられた、本発明のウエットティッシュ供給キットの断面図である。
【図１６】図１６は、包装ウエットティッシュに取り出し口部材（一体型の蓋が付いている態様）が取り付けられた、本発明のウエットティッシュ供給キットの断面図である。
【図１７】図１７は、取り出し口部材が第三の開口部に嵌合していない態様である、本発明の収納容器型のウエットティッシュ供給キットの断面図である。
【図１８】図１８は、取り出し口部材が第三の開口部に嵌合している態様である、本発明の収納容器型のウエットティッシュ供給キットの断面図である。
【図１９】図１９は、図１８のそれとは蓋構造の異なる、取り出し口部材が第三の開口部に嵌合している態様である、本発明の収納容器型のウエットティッシュ供給キットの断面図である。
【図２０】図２０は、各種収納容器の透視図であり、蓋の種類との関係では、Ａ及びＢがオープン蓋タイプ、Ｃ及びＤがスライド蓋タイプ、また、ＡとＣが裏蓋が外れるタイプ、ＢとＤが表蓋が外れるタイプである。
【符号の説明】
【００４８】
１，１１−包装ウエットティッシュ；２，１００−ウエットティッシュ包装袋；３，２００−ウエットティッシュペーパー（積層体）；４−破断線；４’−開口部；５，１２，３００，３１０−シール部材；６，１００ｂ−包装袋部分；１３，５００，５１０，５２０−収納容器；１３ａ−開閉蓋；１３ｂ−開口部；１００ａ，３００ｂ−開口形成予定部；１００ｃ−第一の開口部；２００ａ−ウエットティッシュ；２００ａ−１−ウエットティッシュの先頭部；３００ａ−第二の開口部；４００，４１０，４２０，４３０，４４０，４６０，４６１−取り出し口部材；４０２，４１２，４２２，４２３，４３２，４３４−嵌合受部；４０５−開口部；４０６−細幅通路；４１３，４２４，４３３−ネジ部；４４２−切り込み；４５０，４６２−蓋部材；５０２，５１２，５２２−開閉蓋；５０３，５１３，５２３−第三の開口部；Ａ−包装ウエットティッシュ；Ｂ−１，Ｂ−２，Ｂ−３−ウエットティッシュ供給キット；Ｃ−１，Ｃ−２，Ｃ−３−ウエットティッシュ供給キット
【図１】
2005112443.tif 000003
【図２】
2005112443.tif 000004
【図３】
2005112443.tif 000005
【図４】
2005112443.tif 000006
【図５】
2005112443.tif 000007
【図６】
2005112443.tif 000008
【図７】
2005112443.tif 000009
【図８】
2005112443.tif 000010
【図９】
2005112443.tif 000011
【図１０】
2005112443.tif 000012
【図１１】
2005112443.tif 000013
【図１２】
2005112443.tif 000014
【図１３】
2005112443.tif 000015
【図１４】
2005112443.tif 000016
【図１５】
2005112443.tif 000017
【図１６】
2005112443.tif 000018
【図１７】
2005112443.tif 000019
【図１８】
2005112443.tif 000020
【図１９】
2005112443.tif 000021
【図２０】
2005112443.tif 000022
【手続補正書】
【提出日】平成15年10月20日(2003.10.20)
【手続補正１】
【補正対象書類名】明細書
【補正対象項目名】００１８
【補正方法】変更
【補正の内容】
【００１８】
本発明（１１）は、開口部形状の破断線からなる開口形成予定部（１００ａ）が形成されている気密性の軟質包装材料用の包装袋（１００）中に積層した又は捲回したウエットティッシュペーパー（２００）を収納した包装袋（１００）と、該破断線を覆うように接着された再貼着可能なシール部材（３００）とからなる包装ウエットティッシュ（Ａ）であって、該シール部材（３００）を剥離することにより、該包装袋（１００）の該開口形成予定部（１００ａ）に対応する部分の包装袋部分（１００ｂ）がシール部材（３００）側に貼着することで、該包装袋（１００）に第一の開口部（１００ｃ）が形成され、また、シール部材（３００）に貼着した該包装袋部分（１００ｂ）を該シール部材（３００）から剥離除去することにより、該シール部材（３００）にも、第一の開口部（１００ｃ）よりも小さい第二の開口部（３００ａ）が形成されるように構成された包装ウエットティッシュ（Ａ）と、
場合により、ウエットティッシュ（２００ａ）の先頭部（２００ａ−１）を保持すると共に、引き出されたウエットティッシュを使用単位長さにカットするか又は使用単位分だけ取り出す際の押さえの機能を有している取り出し口（開口部４０５）を有する、該第二の開口部（３００ａ）を介して該シール部材（３００）に装着可能なように構成されている該取り出し口部材（４００）と、
第三の開口部（５０３，５１３，５２３）とそれを覆う開閉蓋（５０２，５１２，５２２）とを有している収納容器（５００，５１０，５２０）であって、該第三の開口部（５０３，５１３，５２３）が、そこを介して、該第二の開口部（３００ａ）より又は該取り出し口部材（４００）の該取り出し口（開口部４０５）より突出したウエットティッシュ（２００）の該先頭部（２００ａ−１）を引出し可能に構成されている、自己の形状を保持することのできる収納容器（５００，５１０，５２０）と、
から構成されているウエットティッシュ供給キット（Ｃ−１，Ｃ−２，Ｃ−３）である。ここで、該包装袋（１００）内のウエットティッシュ（２００）を使用可能にセットするには、例えば、該包装袋（１００）から該シール部材（３００）を剥離して該第一の開口部（１００ｃ）を該包装袋（１００）に形成させ、次いで、該シール部材（３００）に貼着した該包装袋部分（１００ｂ）を剥離除去することにより、該シール部材（３００）に該第二の開口部（３００ａ）を形成させ、次いで、〔１〕該第一の開口部（１００ｃ）を介して該包装袋（１００）から引き出したウエットティッシュペーパー（２００ａ）の先頭部（２００ａ−１）を該第二の開口部（３００ａ）に挿入することにより、該第二の開口部（３００ａ）から該先頭部（２００ａ−１）を突出させ、次いで、該シール部材（３００）を剥離前の位置と略同一に包装袋（１００）に再貼着するか、〔２〕取り出し口部材（４００）を用いる場合には、該取り出し口部材（４００）を該第二の開口部（３００ａ）に取り付けた後、該第一の開口部（１００ｃ）を介して該包装袋（１００）から引き出したウエットティッシュペーパー（２００ａ）の先頭部（２００ａ−１）を該取り出し口部材（４００）を挿入することにより、該取り出し口（開口部４０５）から該先頭部（２００ａ−１）を突出させ、次いで、該シール部材（３００）を剥離前の位置と略同一に包装袋（１００）に再貼着するか、〔３〕該第一の開口部（１００ｃ）を介して該包装袋（１００）から引き出したウエットティッシュペーパー（２００ａ）の先頭部（２００ａ−１）を該取り出し口部材（４００）に挿入することにより、該取り出し口（開口部４０５）から該先頭部（２００ａ−１）を突出させた後、該取り出し口部材（４００）を該第二の開口部（３００ａ）に取り付け、次いで、該シール部材（３００）を剥離前の位置と略同一に包装袋（１００）に再貼着するか、〔４〕該第二の開口部（３００ａ）からウエットティッシュペーパー（２００ａ）の先頭部（２００ａ−１）が突出した状態で、該シール部材（３００）を該包装袋（１００）に再貼着し、次いで、該先頭部（２００ａ−１）を取り出し口部材（４１０，４２０，４３０）に挿入することにより、該取り出し口（図１２では図示せず）から該先頭部（２００ａ−１）を突出させた後、該取り出し口部材（４１０，４２０，４３０）を該第二の開口部に螺嵌させる、等々の方法が採用され得る。